(57)【要約】【課題】  分散配置した多数の携帯電話を電話局からみた場合、１台の携帯電話と同じように取り扱うことが出来る方式により、基本料金を節約し料金の自動収集や情報の自動収集に役立てる。【解決手段】多数の携帯電話に同じ代表番号を付け、代表番号で呼ばれた携帯電話は全て受信状態となり、親局は子番号をデータの形で送信し目的の携帯電話を選択する。  次の携帯電話に切り替える時は初めの携帯電話が送信している電波の周波数を用いる。  電波の周波数は親局がデータで受信状態の携帯電話に一度に知らせる。  切り替えは瞬時に行われ、電波の中断が無い。【選択図】  図１
2005130420.tif 000002
【特許請求の範囲】
【請求項１】
同じ代表番号を付けた多数の携帯電話に局番ではなく、データとして送信、受信する子番号を付けて分散配置し、親局が代表番号で呼び出した時、その番号の携帯電話はすべて受信状態で待機し、親局からデータで子番号を呼び出された携帯電話のみデータを送信し、データが終わっても次の携帯電話が子番号で呼び出されて電波を送信するまで、初めの携帯電話の電波をそのまま送信し続ける。
親局から次の携帯電話の子番号がデータで呼び出されると次の携帯電話が初めの携帯電話と同じ周波数の電波とチャンネルでデータを送信し、始めの携帯電話は電波の送信を停止すること。
このようにして分散箇所に取り付けられた携帯電話を親局が次々に呼び出す。
以上記した特徴を有する、多数の携帯電話を分散箇所に取り付けてデータを収集する方式
【請求項２】
同じ代表番号を付けた多数の携帯電話に局番ではなく、データとして送信、受信する子番号を付けて分散配置し、親局が代表番号で呼び出した時、その番号の携帯電話はすべて受信状態となり、以後親局から指示されないかぎり、一定時間ごとに１台づつ決められた順番で、同じ周波数の電波とチャンネルで携帯電話がデータを送信すること。
以上記した特徴を有する、多数の携帯電話を分散箇所に取り付けてデータを収集する方式
【請求項３】
初めに呼び出された子番号の携帯電話が送信した周波数を親局に送信し、親局はこの周波数を全ての同じ代表番号を持つ携帯電話に送信し、以後携帯電話が送信する周波数はすべてこの周波数を用いること。
以上記した特徴を有する、多数の携帯電話を分散箇所に取り付けてデータを収集する方式
【請求項４】
親局が代表番号で呼び出した時、その代表番号の携帯電話はすべて受信状態となり、受信状態が続く間は子番号に関係なくこれらの携帯電話はすべて親局から送信してくるデータや暗号、音声信号、映像信号、等を受け取ること。
以上記した特徴を有する、多数の携帯電話を分散箇所に取り付けてデータを収集する方式
【発明の詳細な説明】
【発明の詳細な説明】
【技術分野】
【０００１】  本発明は、分散箇所に取り付けられた携帯電話によって各所のデータを１箇所で収集する方式に関するものである。
【背景技術】
【０００２】  従来、携帯電話によって分散配置された各所のデータを１箇所で収集する場合には配置箇所の数だけの電話番号を持つ携帯電話を取り付ける必要があった。
従来の有線の電話では同じ目的のために代表番号の下に、子番号を多数持って交換機によって切り替えていた。
しかし分散配置された携帯電話では交換機で切り替えることが出来ない。
【発明が解決しようとする課題】
【０００３】  本発明は、分散配置された多数の携帯電話が個別の電話番号を持つことにより全て基本料金を取られる欠点を無くし、電話局から見た場合多数の携帯電話が、１台の携帯電話と同じように見える方式を開発し、電話の基本料金を安くすることを目的としている。
【課題を解決するための手段】
【０００４】  本発明では代表番号の下に局番ではなく、データとして送信、受信、する子番号を付け親局から代表番号で呼び出された場合、すべての携帯電話は受信状態となって子番号がデータで親局から送信してくるのを待機する。
【０００５】  初めに親局からデータで子番号を呼び出された携帯電話は自分のデータを送信し、データが終わっても電波の送信状態を維持する。
次に別の子番号で呼び出された携帯電話は自分のデータを送信し、データが終わっても電波の送信状態を維持する。
【０００６】  初めの携帯電話は別の子番号が親局から送信されたことをデータで確認し送信を停止する。
初めの携帯電話は送信した自分の電波の周波数とチャンネルを親局に送信し、親局はすべての携帯電話にその周波数とチャンネルを指示し、以後携帯電話が送信する電波の周波数はこの指示に従う。
携帯電話の切り替え時間は短く、電話局から見た場合同じ周波数の電波が連続するので、多数の携帯電話が切り替わっていても１台の携帯電話が連続して使用されているのと同じように見える。
以下順番に同じようにして多数の携帯電話のデータを親局に送信する。
【０００７】  他の切り替え方法として初めの携帯電話はデータによる子番号の呼び出しで送信を開始するが、次の携帯電話は決められた時間になると自動的に次の携帯電話に切り替わる。
この時切り替えに失敗すれば親局は電話が切れることによって失敗を知り、その次の子番号の携帯電話を呼び出し以後上記と同じように時間と共に順番に次の携帯電話に切り替わる。
【０００８】  切り替えの時間は短く、全ての携帯電話は初めに使用した周波数とチャンネルを使用するので、電話局から見れば一つの携帯電話が送信しているのと同じように見える。
切り替えの状況は携帯電話のデータの中に子番号の情報を入れて親局に知らせる。
【実施例】
【０００９】  図１は、本発明の基本構成を示すブロック図である。
この図において１，２，３，４，５，６，７・・・・・は携帯電話、Ｔは電話局Ｍは親局である。【００１０】  携帯電話（１，２，３，４，５，６，７・・・・・）には同じ代表番号が付けてあり、その番号の下にそれぞれ個別のデータによって送受信する子番号が付けてある。
親局（Ｍ）が代表番号を電話局（Ｔ）に向けて発信すると、携帯電話（１，２，３，４，５，６，７・・・・・）は全て受信状態になる。
次に親局（Ｍ）がデータとして携帯電話（１）の子番号を送信すると携帯電話（１）が自分のデータを送信する。【００１１】  この時データの中に携帯電話（１）は自分の電波の送信周波数とチャンネルの情報を入れるが、自分の子番号の情報もいれて信頼度を上げてもよい。
次に親局（Ｍ）がデータとして携帯電話（２）の子番号を送信すると携帯電話（２）が自分のデータを送信する。【００１２】  携帯電話（１）と携帯電話（２）の切り替えの時電波とチャンネルは同じものを用い、切り替えの時電波が中断しないようにする。
以下順番に携帯電話（３）、（４）、…と切り替えながらそれぞれ自分のデータを送信する。
最後は親局が電話を切りデータで終わりを指示すれば一連のデータの送信は終わる。【００１３】  親局（Ｍ）が次の子番号をデータとして送るタイミングは携帯電話の送信に関係なくいつでも送れるので、データが終わる直前に次の子番号を送信して、電波の切り替えのための時間を短縮する。【００１４】  この他、携帯電話の切り替えの手段として時間によって自動的に切り替える方法もある。
親局（Ｍ）が子番号で携帯電話（１）を呼び出し一定時間が経過したとき、自動的に携帯電話（２）に切り替わる。
この一定時間の間にそれぞれ携帯電話は自分のデータを送信する。
一定時間経過ごとに次々に携帯電話が切り替わってゆくが、切り替えに失敗したり、決められた時間を経過したときは親局（Ｍ）がこれを検出し、次の子番号を送信する等の対策を打つ。【００１５】  その他のことについては、親局（Ｍ）が携帯電話を切り替えるたびに子番号を送信する場合と同じである。
携帯電話の代表番号を２つ以上持たせて複雑な信号の組み合わせにすること、親局（Ｍ）から局番や子番号を変更すること、通信の信頼度を高める手法、秘話の技術等一般に知られている方法は適当に用いる。
【発明の効果】
【００１６】  本発明によれば、多数の分散した携帯電話を電話局から見れば１台の携帯電話とおなじように取り扱うことが出来るので、従来基本料金が高いため使用出来なかった分野にも使用の範囲が広がる。
たとえば、電気、ガス、水道、下水、等の検針業務、天気予報情報、故障点検出、世論調査、緊急事態の発生のお知らせ、タクシーの配車、等である。
【図面の簡単な説明】
【００１７】
【図１】本発明の方式を示すブロック図である。
【符号の説明】
１、２、３、４、５、６、７・・・・  携帯電話
Ｔ  電話局
Ｍ  親局
【図１】
2005130420.tif 000003